(57)【要約】      （修正有）【課題】無線通信によりユーザに遠隔操作を行わせることで、容易に画像表示システムがユーザに表示したい画像を選択させ、モニターに表示することを可能にする。【解決手段】ユーザ端末１００およびモニター３００と、無線通信接続される管理サーバ２００を有する画像表示システムであって、管理サーバ２００は、ユーザ端末１００で選択された表示画像をモニター３００に表示させる表示画像表示用画面を作成し、ユーザがモニター３００の前面数ｍ以内に居なくなってから数分を経過するとスリープ状態になり画面が消え、ユーザがモニターに近づいたら、スリープ状態を解除し、スリープ状態である間にユーザと異なるユーザが近づいた場合、スリープ状態を解除する直前に表示画像表示用画面の表示を止め、近づいたユーザに対応するユーザＩＤを顔認証によって管理サーバ２００から呼び出すことにより、近づいたユーザについての表示画像表示用画面を表示させる。【選択図】図１
2020166269.tif 000002
【特許請求の範囲】
【請求項１】
ユーザ端末およびモニターと、ネットワークを介して無線通信接続される管理サーバを有する画像表示システムであって、
前記管理サーバは、前記ユーザ端末で選択された表示画像をモニターに表示させる表示画像表示用画面を作成する、表示画像表示用画面作成部を有し、
前記画像表示システムは、筐体正面に、前記表示画像表示用画面を表示するモニターを有し、
前記モニターは、前面硬化ガラス張りであり、顔認証機能を有し、タッチパネル操作を可能とするディスプレイを有し、前記モニターの電源がｏｎの状態を維持しながら、ユーザが前記モニターの前面数ｍ以内に居なくなってから数分を経過するとスリープ状態になり画面が消え、前記ユーザが前記モニターの前面数ｍ以内に近づいたら、スリープ状態を解除し、
前記モニターは、前記モニターがスリープ状態である間に前記ユーザと異なるユーザが前記モニターの前面数ｍ以内に近づいた場合、スリープ状態を解除する直前に前記表示画像表示用画面の表示を止め、前記モニターの前面数ｍ以内に近づいたユーザに対応するユーザＩＤを顔認証によって前記管理サーバから呼び出すことにより、前記モニターの前面数ｍ以内に近づいたユーザについての表示画像表示用画面を表示させる、
画像表示システム。
【請求項２】
請求項１に記載の画像表示システムにおいて、
前記管理サーバは、前記ユーザ端末からユーザ情報を取得および記憶するユーザ情報記憶部を有する、
画像表示システム。
【請求項３】
請求項１に記載の画像表示システムにおいて、
前記管理サーバは、前記ユーザ端末から画像情報を取得および記憶する画像情報記憶部を有する、
画像表示システム。
【請求項４】
請求項１に記載の画像表示システムにおいて、
前記管理サーバは、前記ユーザ端末に表示画像を選択させる表示画像選択用画面を作成する、表示画像選択用画面作成部を有する、
画像表示システム。
【請求項５】
請求項１に記載の画像表示システムにおいて、
前記画像表示システムは、前記筐体内部に空調装置と、排気および排熱用ファンと、防塵フィルターと、避雷針接続ケーブルと、盗難防止機構と、顔認証用カメラと、スピーカーと、ＵＳＢ端子を有する、
画像表示システム。
【請求項６】
主に屋外に設置される供養塔であって、
前記供養塔は、躯体正面に、請求項１に記載の画像表示システムにおける前記表示画像表示用画面を表示するモニターを有し、
前記モニターは、前面硬化ガラス張りであり、顔認証機能を有し、タッチパネル操作を可能とするディスプレイを有する、
供養塔。
【発明の詳細な説明】
【技術分野】
【０００１】
本発明は、画像表示システムに関する。
【背景技術】
【０００２】
主に屋外に設置され、装置正面に画像を表示する屋外用表示装置が知られている。このような屋外用表示装置は、装置内部にコンピュータをＬＡＮケーブル等で接続して組み込むことで、画像を記憶し、画像表示を管理していた。
【０００３】
しかし、このような装置内部にコンピュータをＬＡＮケーブル等で接続して組み込むとなると、ユーザに遠隔操作をさせることができず、ユーザが容易に表示したい画像を選択したり、表示することができないという実情がある。
【先行技術文献】
【特許文献】
【０００４】
【特許文献１】特開平３−２２５９５号公報
【発明の概要】
【発明が解決しようとする課題】
【０００５】
本発明の目的は、容易に画像表示システムにユーザが表示させたい画像を表示させることが可能な技術を提供することである。
【課題を解決するための手段】
【０００６】
本願において開示される発明のうち、代表的なものの概要を簡単に説明すれば、次の通りである。
【０００７】
本発明の一実施の形態の画像表示システムは、ユーザ端末およびモニターと、ネットワークを介して無線通信接続される管理サーバを有する画像表示システムであって、管理サーバは、ユーザ端末から画像情報を取得および記憶する画像情報記憶部を有し、モニターは、前面硬化ガラス張りであり、顔認証機能を有し、タッチパネル操作を可能とするディスプレイを有し、モニターの電源がｏｎの状態を維持しながら、ユーザがモニターの前面数ｍ以内に居なくなってから数分を経過するとスリープ状態になり画面が消え、ユーザがモニターの前面数ｍ以内に近づいたら、スリープ状態を解除し、モニターは、モニターがスリープ状態である間にユーザと異なるユーザがモニターの前面数ｍ以内に近づいた場合、スリープ状態を解除する直前に表示画像表示用画面の表示を止め、モニターの前面数ｍ以内に近づいたユーザに対応するユーザＩＤを顔認証によって管理サーバから呼び出すことにより、モニターの前面数ｍ以内に近づいたユーザについての表示画像表示用画面を表示させる。
【発明の効果】
【０００８】
本願において開示される発明のうち、代表的なものによって得られる効果を簡単に説明すれば以下のとおりである。
本発明の代表的な実施の形態によれば、容易に画像表示システムにユーザが表示したい画像を表示させることができる。
【図面の簡単な説明】
【０００９】
【図１】本発明の一実施の形態における画像表示システムの構成例の概要を示す図である。
【図２】本発明の一実施の形態における管理サーバのユーザ情報記憶部に記憶されているユーザ情報の構成例の概要を示す図である。
【図３】本発明の一実施の形態における管理サーバの画像情報記憶部に記憶されている画像情報の構成例の概要を示す図である。
【図４】本発明の一実施の形態における全体処理の概要を示す図である。
【図５】本発明の一実施の形態におけるユーザ情報記憶処理の概要を示す図である。
【図６】本発明の一実施の形態における画像情報記憶処理の概要を示す図である。
【図７】本発明の一実施の形態における画像情報選択処理の概要を示す図である。
【図８】本発明の一実施の形態におけるユーザ端末またはモニターに表示される表示画像選択用画面の構成例の概要を示す図である。
【図９】本発明の一実施の形態における画像情報表示処理の概要を示す図である。
【図１０】本発明の一実施の形態におけるモニターの概要を示す正面図である。
【図１１】本発明の一実施の形態におけるモニターの内部の構造の概要を示す斜視図である。
【図１２】本発明の一実施の形態におけるモニターに表示画像表示用画面が表示されている概要を示す斜視図である。
【図１３】本発明の一実施の形態における供養塔の概要を示す正面図である。
【図１４】本発明の一実施の形態における供養塔の概要を示す斜視図である。
【図１５】本発明の一実施の形態における供養塔に表示画像表示用画面が表示されている概要を示す正面図である。
【発明を実施するための形態】
【００１０】
以下、本発明の実施の形態を図面に基づいて詳細に説明する。なお、実施の形態を説明するための全図において、同一部には原則として同一の符号を付し、その繰り返しの説明は省略する。
＜全体構成＞
図１は、本発明の一実施の形態における画像表示システムの構成例の概要を示す図である。図１に示されるように、画像表示システムは、ユーザ端末１００と、ユーザ端末１００とネットワークを介して接続されるモニター３００と、ユーザ端末１００およびモニター３００とネットワークを介して接続される管理サーバ２００とを有する。
【００１１】
管理サーバ２００は、ユーザ情報記憶部２１１と、画像情報記憶部２１２と、表示画像選択用画面作成部２２０と、表示画像表示用画面作成部２３０とを有する。ユーザ情報記憶部２１１には、ユーザ端末１００から取得されるユーザ情報が記憶されている。画像情報記憶部２１２には、ユーザ端末１００から取得される画像情報が記憶されている。
【００１２】
管理サーバ２００は、ｗｉｆｉ（登録商標）またはｂｌｕｅｔｏｏｔｈ（登録商標）に対応するＯＳを構成する。また、管理サーバ２００が構成するＯＳは、Ｗｉｎｄｏｗｓ（登録商標）、ｉＯＳ、Ａｎｄｒｏｉｄ（登録商標）等に対応する。また、管理サーバ２００はクラウド上で管理できる。これにより、管理サーバ２００は、２４時間稼働でき、ユーザがどの場所に居てもユーザの操作を受け付ける。
【００１３】
表示画像選択用画面作成部２２０は、ユーザ端末１００のディスプレイに表示される表示画像選択用画面８０１を作成する。また、表示画像選択用画面作成部２２０は、モニター３００のディスプレイに表示される表示画像選択用画面８０６を作成する。なお、表示画像選択用画面８０１および表示画像選択用画面８０６については後述する。
＜ユーザ情報記憶部＞
図２は、本発明の一実施の形態における管理サーバ２００のユーザ情報記憶部２１１に記憶されているユーザ情報の構成例の概要を示す図である。図２に示されるように、ユーザ情報は、ユーザＩＤと、氏名と、メールアドレスと、顔認証用画像と、画像情報ＩＤなどのデータ項目により構成される。なお、ユーザは家族ごと（例えば代表者など）としてもよい。これにより、本発明に係る画像表示システムは、複数の家族にシェアして利用させることを実現できる。
【００１４】
ユーザＩＤは、ユーザを識別するための符号を示す。氏名は、ユーザの氏名を示す。メールアドレスは、ユーザのメールアドレスを示す。顔認証用画像は、ユーザの顔を認証するための画像、例えば顔写真を示す。画像情報ＩＤは、ユーザが管理サーバ２００に送信した画像情報を識別するための符号を示す。
＜画像情報記憶部＞
【００１５】
図３は、本発明の一実施の形態における管理サーバ２００の画像情報記憶部２１２に記憶されている画像情報の構成例の概要を示す図である。図３に示されるように、画像情報は、画像情報ＩＤと、画像データと、動画データと、文字データにより構成される。
【００１６】
画像情報ＩＤは、画像または動画または文字からなるデータの集合を識別するための符号を示す。画像データは、表示画像表示用画面１２０１（詳細は後述する）において、表示させたい画像の情報を示す。画像データの形式は、例えば、ＪＰＧデータである。動画データは、表示画像表示用画面１２０１（詳細は後述する）において、表示させたい動画の情報を示す。動画データの形式は、例えば、ＭＰ４データである。なお、動画データは音声データを包含する。文字データは、表示画像表示用画面１２０１において、表示させたい文字や言葉の情報を示す。文字データの形式は、例えば、ＤＯＣデータである。また、管理サーバ２００は、画像情報ＩＤを、画像または動画または文字からなるデータの集合を送信したユーザが有するユーザＩＤと紐付けて、画像情報記憶部２１２に記憶させる。
＜全体処理＞
図４は、本発明の一実施の形態における全体処理の概要を示す図である。
【００１７】
まず、Ｓ４０１にて、管理サーバ２００はユーザ情報記憶処理（図５で後述する）を行う。次に、Ｓ４０２にて、管理サーバ２００は画像情報記憶処理（図６で後述する）を行う。次に、Ｓ４０３にて、管理サーバ２００は画像情報選択処理（図７で後述する）を行う。次に、Ｓ４０４にて、管理サーバ２００は画像情報表示処理（図９で後述する）を行う。
＜ユーザ情報記憶処理＞
図５は、本発明の一実施の形態におけるユーザ情報記憶処理の概要を示す図である。以下、管理サーバ２００が、ユーザ情報を記憶する方法について説明する。
【００１８】
まず、Ｓ５０１にて、ユーザ端末１００の入力部は、ユーザの氏名と、メールアドレスと、顔認証用画像などからなるユーザ情報の入力をユーザから受け付ける。その後、Ｓ５０２にて、ユーザ端末１００は、ユーザ情報を管理サーバ２００に送信する。
【００１９】
その後、Ｓ５０３にて、管理サーバ２００は、受信したユーザ情報にユーザＩＤを付して、Ｓ５０１にて入力を受け付けたユーザ情報をユーザ情報記憶部２１１に記憶させる。
＜画像情報記憶処理＞
図６は、本発明の一実施の形態における画像情報記憶処理の概要を示す図である。以下、管理サーバ２００が、画像情報を記憶する方法について説明する。
【００２０】
まず、Ｓ６０１にて、ユーザ端末１００の入力部は、画像データ、動画データ、文字データからなる情報の入力をユーザから受け付ける。その後、Ｓ６０２にて、ユーザ端末１００は、画像データ、動画データ、文字データからなる情報を管理サーバ２００に送信する。
【００２１】
その後、Ｓ６０３にて、管理サーバ２００は、受信した情報に画像情報ＩＤを付して、Ｓ６０１にて入力を受け付けた画像データ、動画データ、文字データからなる情報を画像情報記憶部２１２に記憶させる。なお、管理サーバ２００は、例えば画像であれば、ユーザあたり最大１００枚の画像データを画像情報記憶部２１２に記憶させる。
＜画像情報選択処理＞
図７は、本発明の一実施の形態における画像情報選択処理の概要を示す図である。管理サーバ２００が、ユーザに表示画像を選択させる方法について説明する。
【００２２】
まず、Ｓ７０１にて、管理サーバ２００は、図８で示される表示画像選択用画面８０１、または、８０６を生成する。なお、表示画像選択用画面８０１は、ユーザ端末１００のディスプレイに表示される。また、表示画像選択用画面８０６は、モニター３００のディスプレイに表示される。
【００２３】
管理サーバ２００は、ユーザ情報記憶部２１１に記憶された、ユーザ情報から、ユーザＩＤを呼び込み、それに紐付いている画像情報ＩＤを呼び込む。その後、画像情報ＩＤに対応する画像情報が有するうち、例えば画像データを、図８で後述する、表示画像選択用画面８０１の表示画像選択領域８０２に、横並びに配置させる。このようにして、管理サーバ２００は、表示画像選択用画面８０１、または、８０６を生成する。なお、画像データが単数であるか複数であるかは問わないものとし、説明した配置方法に限定されない。また、画像データの代わりに、動画データや、文字データとしても、管理サーバ２００は同様の方法で表示画像選択用画面８０１の表示画像選択領域８０２に、横並びに配置させる。
【００２４】
次に、Ｓ７０２にて、管理サーバ２００は、表示画像選択用画面８０１をユーザ端末１００に、提供する。また、管理サーバ２００は、表示画像選択用画面８０６をモニター３００に、提供する。
【００２５】
また、モニター３００が備える顔認証用カメラ１１０７（後述する）によって捉えられたユーザの顔を、ユーザ端末１００から取得し、記憶した顔認証用画像の中から特定できる場合には、管理サーバ２００は、特定したユーザＩＤに紐付いている画像情報を呼び出す。これにより、ユーザが端末を持ち合わせない時でも、容易に管理サーバ２００は表示画像選択用画面８０１（および８０６）を生成し、その後の処理を行うことができる。
【００２６】
なお、モニター３００が備える顔認証用カメラ１１０７によって捉えられたユーザの顔を、ユーザ端末１００から取得し、記憶した顔認証用画像の中から特定できない場合には、例えば、管理サーバ２００は、ユーザにスマートフォンが有する画像をミラーニングさせることにより、特定したユーザＩＤに紐付いている画像情報を呼び出す。
【００２７】
そして、Ｓ７０３にて、ユーザ端末１００は、ユーザ端末１００のディスプレイに画像選択用画面８０１を表示させる。また、モニター３００は、モニター３００のディスプレイに表示画像選択用画面８０６を表示させる。
【００２８】
その後、Ｓ７０４にて、ユーザは、ユーザ端末１００に表示された表示画像選択用画面８０１、または、モニター３００に表示された表示画像選択用画面８０６から、表示画像を選択する。選択の方法については後述する。
その後、Ｓ７０５にて、ユーザ端末１００は、選択した表示画像を、管理サーバ２００に送信する。
【００２９】
その後、Ｓ７０６にて、管理サーバ２００は、ユーザ端末１００から送信された表示画像を取得する。そして、管理サーバ２００は、取得した画像情報に基づいて、表示画像表示用画面１２０１または１５０１（１５０１は１２０１と同様の構成であるため、以下省略する）を生成する。
【００３０】
図８は、本発明の一実施の形態におけるユーザ端末１００（例えば、スマートフォンとした場合）に表示される表示画像選択用画面８０１、または、モニター３００に表示される表示画像選択用画面８０６の構成例の概要を示す図である。図８に示されるように、表示画像選択用画面８０１は、表示画像選択領域８０２と、決定タブ８０５を含む。表示画像選択領域８０２は、表示画像を示す複数のアイコン８０３および８０４を含む。なお、表示画像は単数または複数とし、その個数は特に限定されない。また、表示画像は、画像データの代わりに、動画データや、文字データとしても同様である。
【００３１】
表示画像選択用画面８０１は、複数のアイコン８０３および８０４（以下８０４は省略する）の中から、ユーザが最終的にモニター３００に表示させたい表示画像を、ユーザが選択する入力を受け付ける。表示画像選択用画面８０１は、ユーザに、希望するアイコン８０３をタップまたはクリックさせることで、選択候補を１つに絞り、その後、決定タブ８０５をタップまたはクリックさせることで、最終的にモニター３００に表示させたい表示画像を決定する。なお、モニター３００に表示される表示画像選択用画面８０６の場合についても、選択の方法については同様である。
【００３２】
なお、ユーザがモニター３００の前に来た時に、管理サーバ２００は、Ｓ４０４の画像情報表示処理（図９で後述する）にて、画像等をモニター３００に表示させることもできる。その場合は、管理サーバ２００は、毎回同じ画像等をモニター３００に表示させる。
＜画像情報表示処理＞
図９は、本発明の一実施の形態における画像情報表示処理の概要を示す図である。以下、管理サーバ２００が、画像情報を表示させる方法について説明する。
【００３３】
まず、Ｓ９０１にて、管理サーバ２００は、Ｓ７０６にて生成した表示画像表示用画面１２０１を、モニター３００に提供する。その後、Ｓ９０２にて、モニター３００は表示画像表示用画面１２０１をディスプレイに表示させる。
【００３４】
モニター３００は、前面硬化ガラス張りであり、顔認証機能を有し、タッチパネル操作を可能とするディスプレイを有する。モニター３００は、モニター３００の電源がｏｎの状態を維持しながら、ユーザがモニター３００の前面数ｍ以内に居なくなってから数分を経過するとスリープ状態になり画面が消え、ユーザがモニター３００の前面数ｍ以内に近づいたら、スリープ状態を解除する。
【００３５】
また、モニター３００は、モニター３００がスリープ状態である間にユーザと異なるユーザがモニター３００の前面数ｍ以内に近づいた場合、スリープ状態を解除する直前に表示画像表示用画面１２０１の表示を止め、モニター３００の前面数ｍ以内に近づいたユーザに対応するユーザＩＤを顔認証によって管理サーバ２００から呼び出すことにより、モニター３００の前面数ｍ以内に近づいたユーザについての表示画像表示用画面１２０１を表示させる。
【００３６】
また、モニター３００の電源は、常時ｏｎの状態を維持する。そして、例えば、ユーザがモニター３００の前面５ｍ以内に居なくなってから1分を経過すると、モニター３００の電源はスリープ状態になり画面が消える。また、ユーザがモニター３００の前面５ｍ以内に近づいたら、モニター３００の電源は、スリープ状態を解除する。この特性により、ユーザが利用しない時には、そのユーザを特定する画像等の表示を止めることができ、本発明に係る画像表示システムは、ユーザの個人情報保護を実現できる。
【００３７】
また、上記特性によって、本発明に係る画像表示システムは、故人の墓参りに訪れた来訪者が、供養塔のモニター３００がスリープ状態を解除した直後、スリープ状態になる前に表示していた異なる故人についての画像が表示されてしまうことを防止でき、墓参りに訪れた来訪者とスリープ状態になる前に表示していた異なる故人の近親者との感情を害することを防止できる。
＜モニター＞
図１０は、本発明の一実施の形態におけるモニター３００の概要を示す正面図である。図１０に示されるように、モニター３００は、筐体１００１と、ディスプレイ１００２を含む。モニター３００は、屋外および屋内に設置できる。また、モニター３００は、その構成を一般的な埋葬施設に包含できる。
【００３８】
モニター３００の筐体１００１は、例えば、素材を鉄やアルミ等の金属、またはプラスチック等とできる。また、モニター３００の筐体１００１は、セラミックコーティング等の表面処理を行ったものとしてもよい。これにより、モニター３００の筐体１００１は、屋外での設置に求められる耐久性を向上できる。
【００３９】
モニター３００のディスプレイ１００２は、例えば、画面の大きさを４３〜８５インチとできる。モニター３００のディスプレイ１００２は、縦置きと、横置きとの両方に対応できるディスプレイとする。モニター３００のディスプレイ１００２は、例えば３８４０×２１６０ドットで４０００画素である高解像度のＩＰＳパネルとできる。また、モニター３００のディスプレイ１００２は、自動輝度調整機能や、画面分割表示機能を有する。
【００４０】
また、モニター３００のディスプレイ１００２は、例えば１７８°の視野角に対応できるディスプレイとする。さらに、モニター３００のディスプレイ１００２は、タッチパネル式とできる。これにより、モニター３００は、ユーザに、モニター３００へ直接タッチ操作を行わせることで、表示画像を選択させることができる。
【００４１】
また、モニター３００のディスプレイ１００２は、例えば前面硬化ガラス張りのディスプレイとできる。前面硬化ガラス張りで構成することにより、モニター３００のディスプレイ１００２は、防水性を向上できる。
【００４２】
図１１は、本発明の一実施の形態におけるモニター３００の内部の構造の概要を示す斜視図である。図１１に示されるように、モニター３００の内部構造は、空調装置１１０１と、排気および排熱用ファン１１０２と、防塵フィルター１１０３と、避雷針接続ケーブル１１０４と、盗難防止機構１１０６と、顔認証用カメラ１１０７と、スピーカー１１０８と、ＵＳＢ端子１１０９を含む。避雷針接続ケーブル１１０４は、外部に設置された避雷針１１０５に接続される。
【００４３】
空調装置１１０１は、例えば、冷媒配管を用いず、圧縮機と凝縮器と蒸発器を一体とした一体型エアーコンディショナーとできる。空調装置１１０１の大きさは特に限定されないが、モニター３００の筐体１００１内部に、全てが収まる大きさとする。また、空調装置１１０１は、外気温を感知するセンサーを備え、外気温に応じて自動的に冷暖房を行う機能を有する。空調装置１１０１を稼働させることによって、モニター３００は、筐体１００１内部の温度を常に常温付近（例えば１５℃〜２５℃程度）に保持できる。また、これにより、モニター３００は、例えば−２０℃〜５０℃の屋外環境でも、使用できる。
【００４４】
排気および排熱用ファン１１０２は、例えば、排気用ダクトを有さない小型の構造とできる。排気および排熱用ファン１１０２の大きさは特に限定されないが、モニター３００の筐体１００１内部に、全てが収まる大きさとする。また、排気および排熱用ファン１１０２は、外気温を感知するセンサーを備え、外気温に応じて自動的に排気および排熱を行う機能を有する。排気および排熱用ファン１１０２を稼働させることによって、モニター３００は、筐体１００１内部の温度を常に常温付近（例えば１５℃〜２５℃程度）に保持できる。
【００４５】
防塵フィルター１１０３は、例えば、材質をポリウレタンとした周知技術の防塵用フィルターとする。防塵フィルター１１０３の大きさは特に限定されないが、モニター３００の筐体１００１内部に、全てが収まる大きさとする。防塵フィルター１１０３を備えることによって、モニター３００は、筐体１００１内部に侵入する外部からの粉塵等の量を低減できる。
【００４６】
避雷針接続ケーブル１１０４は、例えば、材質を銅線とできる。避雷針接続ケーブル１１０４の長さまたは太さは特に限定されないが、モニター３００の筐体１００１内部と、外部に設置された避雷針１１０５とを接続できる長さまたは大きさとする。避雷針接続ケーブル１１０４は、両端のうちの一端が筐体１００１の有する導線引出端子と、また他端が外部に設置された避雷針１１０５の導線引出端子と接続される。避雷針接続ケーブル１１０４を備え、避雷針１１０５と接続させることによって、モニター３００は、防雷性を向上できる。
【００４７】
盗難防止機構１１０６は、例えば、素材を鉄やアルミ等の金属、またはプラスチック等とできる。また、盗難防止機構１１０６の大きさは特に限定されないが、モニター３００の筐体１００１外部に、嵩張らない程度に結合できる大きさとする。例えば、盗難防止機構１１０６は、幅５〜１０ｃｍ、直径３ｃｍ程度のコの字型の金属製フックとしてもよい。盗難防止機構１１０６は、筐体１００１の表面と、溶接等により一体的に接合される。また、モニター３００は、盗難防止機構１１０６に、例えばリング状の鍵を掛け、地上構造物等に繋ぐことができる。これにより、モニター３００は、盗難されることを防止できる。
【００４８】
顔認証用カメラ１１０７は、例えば、周知技術である小型ｗｅｂカメラや、ＩＰカメラとできる。また、顔認証用カメラ１１０７のレンズの大きさは特に限定されないが、例えば、直径５ｍｍから２０ｍｍ程度とできる。モニター３００は、筐体１００１の上部前面の位置に、モニター３００と対面する方向を視認できるように、顔認証用カメラ１１０７を、例えば１箇所設置する。なお、顔認証用カメラ１１０７は、位置、大きさ、範囲を上記説明のものに限定されない。これにより、モニター３００は、ユーザＩＤを顔認証によって管理サーバ２００から呼び出すことができ、容易に表示画像をモニター３００に表示できる。
【００４９】
スピーカー１１０８は、例えば、周知技術であるステレオ式スピーカー、または、アンプ内蔵型のステレオ式スピーカーとできる。なお、スピーカー１１０８は、防水性、防塵性、耐衝撃性を有する。スピーカー１１０８の大きさは、特に限定されないが、例えば、モニター３００の筐体１００１内部に、スピーカー１１０８の表面と筐体１００１の表面が同一平面にある状態で、スピーカー１１０８全てを埋め込むことが可能な程度の大きさとする。モニター３００は、筐体１００１の左右前面の位置に、モニター３００と対面する方向に発音できるように、スピーカー１１０８を、例えば２箇所設置する。なお、スピーカー１１０８は、位置、大きさ、範囲を上記説明のものに限定されない。
【００５０】
ＵＳＢ端子１１０９は、例えば、周知技術であるＵＳＢ接続用端子とできる。なお、ＵＳＢ端子１１０９は、端子を防護するための、例えばシリコン製カバー等を備える。これにより、ＵＳＢ端子１１０９は、防水性、防塵性、耐衝撃性を有する。ＵＳＢ端子１１０９の大きさは、特に限定されないが、例えば、モニター３００の筐体１００１内部に、ＵＳＢ端子１１０９の表面と筐体１００１の表面が同一平面にある状態で、ＵＳＢ端子１１０９全てを埋め込むことが可能な程度の大きさとする。ＵＳＢ端子１１０９は、筐体１００１の側面の位置に、例えば１箇所設置する。なお、ＵＳＢ端子１１０９は、位置、大きさ、範囲を上記説明のものに限定されない。
【００５１】
図１２は、本発明の一実施の形態におけるモニター３００に表示画像表示用画面が表示されている概要を示す斜視図である。図１２に示されるように、モニター３００は、ディスプレイ１００２に、表示画像表示用画面１２０１を表示させる。また、図１２は、設置台１２０２にモニター３００が設置されている様子を示しているが、この例に限定されない。
＜供養塔＞
図１３は、本発明の一実施の形態における供養塔の概要を示す正面図である。図１３に示されるように、供養塔は、ディスプレイ１３０１と、相輪１３０２と、屋根１３０３と、柱頭１３０４と、柱１３０５と、柱脚１３０６と、供養台１３０７と、壁１３０８と、床板１３０９と、土台１３１０と、基礎１３１１とにより構成される。
【００５２】
供養塔のディスプレイ１３０１の構成は、段落からで説明したものと同様の構成である。供養塔の相輪１３０２の最高点の地盤面高さは、例えば、３．５ｍとできる。供養塔の屋根１３０３の大きさは、例えば、幅２．９ｍ、奥行き２．９ｍとできる。供養塔の床板１３０９の大きさは、例えば、幅３ｍ、奥行き３ｍとできる。また、供養塔の柱１３０５の高さは、例えば、２ｍとできる。
【００５３】
供養塔は、躯体が石材で構成される。また、供養塔は内部に、空調装置１１０１と、排気および排熱用ファン１１０２と、防塵フィルター１１０３と、避雷針接続ケーブル１１０４と、盗難防止機構１１０６と、顔認証用カメラ１１０７と、スピーカー１１０８と、ＵＳＢ端子１１０９を含む。避雷針接続ケーブル１１０４は、外部に設置された避雷針１１０５に接続される。それぞれの詳細については、段落からで説明したものと同様であるため省略する。
図１４は、本発明の一実施の形態における供養塔の概要を示す斜視図である。
【００５４】
図１５は、本発明の一実施の形態における供養塔に表示画像表示用画面が表示されている概要を示す正面図である。図１５に示されるように、供養塔は、ディスプレイ１３０１に、表示画像表示用画面１５０１を表示させる。
＜本実施の形態の効果＞
以上説明した本発明の実施の形態によれば、ユーザ端末１００を用いた無線通信によって、ユーザが、管理サーバ２００に対して遠隔操作を行うことで、画像表示システムは容易に表示させたい画像を選択し、モニター３００に表示できる。
【００５５】
また、画像表示システムは、防水性と、防塵性と、耐冷性および耐熱性と、防雷性と、盗難防止力を向上できる。さらに、画像表示システムは、顔認証機能により容易に表示させたい画像を選択し、モニター３００に表示できる。
【００５６】
また、画像表示システムは、複数のユーザ、またその家族にシェアをして利用させることができるため、例えば墓地などに設置する際に、従来よりも省スペースを実現できる。
【００５７】
以上、本発明者によってなされた発明を実施の形態に基づき具体的に説明したが、本発明は前記実施の形態に限定されるものではなく、その要旨を逸脱しない範囲で種々変更可能であることはいうまでもない。
たとえば、ユーザ端末は、スマートフォン以外にも、ノート型ＰＣや、タブレット端末等の様々な形態のユーザ端末を全て含むものである。
【００５８】
また、上記した実施の形態は本発明を分かりやすく説明するために詳細に説明したものであり、必ずしも説明した全ての構成を備えるものに限定されるものではない。また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換しても良い。
【００５９】
また、上記の各構成、機能、処理部は、それらの一部又は全部を、ハードウェア（例えば、集積回路）で実現してもよい。また、上記の各構成、機能、処理部は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
【符号の説明】
【００６０】
１００…ユーザ端末
２００…管理サーバ
２１１…ユーザ情報記憶部
２１２…画像情報記憶部
２２０…表示画像選択用画面作成部
２３０…表示画像表示用画面作成部
３００…モニター
【図１】
2020166269.tif 000003
【図２】
2020166269.tif 000004
【図３】
2020166269.tif 000005
【図４】
2020166269.tif 000006
【図５】
2020166269.tif 000007
【図６】
2020166269.tif 000008
【図７】
2020166269.tif 000009
【図８】
2020166269.tif 000010
【図９】
2020166269.tif 000011
【図１０】
2020166269.tif 000012
【図１１】
2020166269.tif 000013
【図１２】
2020166269.tif 000014
【図１３】
2020166269.tif 000015
【図１４】
2020166269.tif 000016
【図１５】
2020166269.tif 000017